(57)【特許請求の範囲】
【請求項１】
コントローラと複数の空気調和機が接続される空調管理システムにおいて、複数の空気調和機をグループに分けて管理し、コントローラ上またはＷｅｂサーバ機能を有するコントローラに接続されたクライアントＰＣ上で、グループ毎にそのグループ内の複数の空気調和機の設定温度の範囲を冷房、暖房の運転モード別に表示することを特徴とする空調管理システム。
【発明の詳細な説明】
【技術分野】
【０００１】
本発明は空調管理システムに係り、特にコントローラが複数の空気調和機をグループ別に管理する場合の空気調和機の運転状態表示を可能にした空調管理システムに関する。
【背景技術】
【０００２】
従来、空気調和機の運転状態の表示・設定を行うコントローラで複数の空気調和機の管理を行う空調管理システムにおいては、管理を行う単位はフロア毎、テナント毎、部屋毎等さまざまなグループに分かれて管理が行われる。
【０００３】
このような空調管理システムのコントローラでは、個々の空気調和機毎の状況データは表示できるが、グループ単位での表示は行われていない（例えば、特許文献１参照）。
【０００４】
この特許文献１に記載の空調管理システムはグループ単位での表示は行われていないため、個々の空気調和機の運転状態を順次確認するしかなく、複数の空気調和機の運転状態を迅速かつ的確に確認しにくい。
【０００５】
通常、空気調和機の運転状態は個々の空気調和機毎に異なるが、グループ分けは、通常フロア毎、テナント毎、部屋毎等のように何らかの関連性を有する複数の空気調和機で区分される。このため、グループ単位でそのグループに含まれる複数の空気調和機の運転状況や履歴等の各種運転データを把握できることが望まれる。
【特許文献１】特開２００２−７１１９８号公報
【発明の開示】
【発明が解決しようとする課題】
【０００６】
本発明は上述した事情を考慮してなされたもので、クループ内の個々の空気調和機の運転状態を反映させたグループ毎の表示を行うことで、グループ単位で多数の空気調和機の運転状態を迅速かつ的確に確認可能にし、多数の空気調和機の管理を容易に行うことができる空調管理システムを提供することを目的とする。
【課題を解決するための手段】
【０００７】
上述した目的を達成するため、本発明に係る空調管理システムは、コントローラと複数の空気調和機が接続される空調管理システムにおいて、複数の空気調和機をグループに分けて管理し、コントローラ上またはＷｅｂサーバ機能を有するコントローラに接続されたクライアントＰＣ上で、グループ毎にそのグループ内の複数の空気調和機の設定温度の範囲を冷房、暖房の運転モード別に表示することを特徴とする。
【発明の効果】
【０００８】
本発明に係る空調管理システムによれば、個々の空気調和機の運転状態を反映させたグループ毎の表示を行い、グループ単位で多数の空気調和機の運転状態を迅速かつ的確に確認可能にし、多数の空気調和機の管理を容易に行うことができる空調管理システムを提供することができる。
【発明を実施するための最良の形態】
【０００９】
本発明の一実施形態に係る空調管理システムについて図面を参照して説明する。
【００１０】
図１は本発明の一実施形態に係る空調管理システムの概念図であり、図２はその制御ブロック図である。
【００１１】
図１および図２に示すように、本発明の一実施形態に係る空調管理システム１は、コントローラ２を備え、このコントローラ２には通信手段２ｅを介して複数の空気調和機３が接続され、さらに、コントローラ２には通信手段２ｆ、イントラネット、ハブ４を介して複数のクライアントＰＣ５が接続される。なお、図２では、ハブを省略して示している。
【００１２】
コントローラ２は要求判別手段２ａ、データ処理手段２ｂ、表示データ作成手段２ｃ、データベース（記憶手段）２ｄ、および通信手段２ｅ、２ｆを備えている。要求判別手段２ａ、データ処理手段２ｂ、表示データ作成手段２ｃ、データベース（記憶手段）２ｄは、コントローラ２に設けたＣＰＵがＲＯＭ及びＲＡＭとデータのやりとりを行いながらＲＯＭに記憶されている制御プログラムを実行することによって実現される。
【００１３】
空気調和機（室内機）３には、その空気調和機の動作を制御する空調機制御器３ａが設けられ、この空調機制御器３ａは空調機通信手段３ｂ、通信手段２ｅを介してコントローラ２に接続される。
【００１４】
このようなシステム構成において、クライアントＰＣ５からは、各空気調和機３の運転指示要求（運転／停止・設定温度・運転モードなど）または各種表示要求がコントローラ２に送られてくる。
【００１５】
コントローラ２は、クライアントＰＣ５から運転指示要求があると、要求判別手段２ａが、その内容を判別し、指定された空気調和機３に対して要求された運転信号を、通信手段２ｅを経由して送信する。
【００１６】
一方、クライアントＰＣ５から表示要求があると、要求された表示内容をデータ処理手段２ｂに指示し、データ処理手段２ｂは要求された表示内容に応じて、データベース２ｄから各空気調和機３の運転データを収集し、統計処理等して、クライアントＰＣ５に対する表示用のベースデータを作成する。
【００１７】
表示データ作成手段２ｃは、データ処理手段２ｂから受け取ったベースデータをＨＴＭＬ等のクライアントＰＣ５がブラウザによって読み取り、表示可能な表示言語に変換して通信手段２ｆ、イントラネット、ハブ４を介して要求されたクライアントＰＣ５に返信する。
【００１８】
一方、各空気調和機３の運転データの収集は、各空気調和機３とコントローラ２が、所定時間間隔で通信を行い、コントローラ２が受け取った各空気調和機３の情報（各種運転データ）をデータベース２ｄに保存することで実行される。
【００１９】
図３は、データベース２ｄに保存されるデータを分かりやすいように表にまとめたもので、各空気調和機（アドレス）毎に、表の左側から、（１）その空気調和機が属するグループ（フロア）、（２）運転・停止状態、（３）冷房・暖房等の空気調和機の運転モード、（４）設定温度、（５）リモコンによる操作の可否を指定する手元操作の可否、（６）室内温度、（７）空気調和機のフィルタの清掃が必要な時期が到来しているかどうかを示すフィルタサインの各状況が項目別に記憶される。
【００２０】
また、本空調管理システム１では、複数の空気調和機３のグループ分けは、１階に設置された空気調和機３ａ１、…、３ａ６（アドレスａａａ１〜９）をグループ１Ｆに、２階に設置された空気調和機３ｂ１、…、３ｂ６（アドレスａａａ１０〜１５）をグループ２Ｆ、以後５階までの各フロア単位に分類して管理している。そして、コントローラ２上またはＷｅｂサーバ機能を有したコントローラに接続されたクライアントＰＣ５上に、図３に示す空気調和機（アドレス）毎の運転データを呼び出して、グループ毎に後で詳述するようにデータ毎に所定のルールに基づき処理して運転データをまとめ、グループ毎の運転データを表示する。
【００２１】
これにより、複数台の空気調和機の運転状態を容易に確認することが可能になり、また、温度設定および室内温度の異常値等を容易に確認することが可能になる。
【００２２】
なお、空気調和機が停止中の場合、当然運転モードは設定されていないため、データはない。同様に停止中では設定温度のデータもない。これらは、図３上でデータなしを意味する「−」で示している。
【００２３】
図４には、コントローラ２から送られてきたＨＴＭＬファイルをクライアントＰＣ５のブラウザを用いてグループ毎に全空気調和機３の運転データをモニター画面５ａに表示した例を示す。
【００２４】
モニター画面５ａには、図４左側から、（１）フロア６ａ、（２）運転・停止６ｂ、（３）運転台数比率６ｃ、（４）設定温度６ｄ、（５）手元操作６ｅ、（６）室内温度６ｆ、（７）フィルタサイン６ｇが項目毎にフロア（グループ）単位で列になって表示される。すなわち、同一フロア内の空気調和機の運転データである項目６ｂ〜６ｇが、行方向に表示される。
【００２５】
フロア６ａは、本実施形態では、各フロア毎に設置されている空気調和機３をグループ単位としているため、そのグループ名をフロアとして表示している。運転・停止６ｂはグループ内で１台でも運転していれば、「運転」、グループ内で１台でも異常があれば、「警報」、グループ内で全てが停止していれば、「停止」を表示する。
【００２６】
手元操作６ｅは、各空気調和機３に設けられているリモコンによる操作の可否設定状態を示すもので、グループ(フロア)内の各空気調和機３のリモコン操作が可能な場合を手元操作「許可」、グループ(フロア)内の各空気調和機３のリモコン操作を不可に設定している場合には手元操作「禁止」で表示される。なお、手元操作の許可／禁止はそのグループ内の空気調和機３すべてに一律で設定され、同じグループ内の個々の空気調和機３単位での設定はできない。フィルタサイン６ｇは、各空気調和機３の吸込口に設けられているフィルタの目詰まり有無を表示するもので、グループ内全台数でフィルタ目詰まり発生の場合、黒丸、グループ内で１台でもフィルタ目詰まり発生の場合、灰色丸、グループ内で全台数でフィルタ目詰まり発生なしの場合、空欄を表示する。
【００２７】
運転台数比率（％）６ｃの項目では、グループ内の各々の空気調和機３の運転モード別の運転台数割合（運転モードの分布）を百分率でバーグラフで表示している。このバー表示では、運転モード別に色分けすることで、そのグループ全体の空気調和機の運転モードを確認しやすくしている。
【００２８】
具体的には、各空気調和機３の運転モードである、冷房、暖房、ドライ(除湿)運転及び停止の４つの運転モードの区分に基づき、冷房運転を青色、暖房運転を橙色、ドライ運転を緑色、停止状態を灰色（図示せず）で表示しており、各状態の合計が１００％となる。例えば、フロア６ａが１Ｆでは、冷房運転中の空気調和機の割合が４０％、暖房運転が１０％、ドライ運転が１０％で、残りの４０％が停止中であることを示している。
【００２９】
これにより、各フロア(グループ)内の空気調和機の運転モードを容易に確認することが可能になるとともに、１Ｆから５Ｆまでの各フロア（グループ）が上から順に並んで表示されるため、各フロアの運転モードの状況及びフロアごとの相違も一目で確認できる。
【００３０】
設定温度６ｄではグループ毎に空気調和機の設定温度範囲を冷房、暖房の運転モード別に表示するもので、フロア１Ｆでは、表示の左側の２５−２６は冷房モード中の空気調和機の設定温度の範囲を最低温度と最高温度で示し、右側の１８−３０は暖房モード中の空気調和機の設定温度範囲を示す。すなわち、フロア１Ｆに属する空気調和機で、かつ冷房運転中の空気調和機の設定温度で最も高い設定温度が２６℃で、最も低い設定温度が２５℃であることを示している。この場合、同一フロア(グループ)内の空気調和機がほぼ同じ設定温度で運転されており、正常な状況を示している。ところが、暖房運転中の空気調和機のほうは、最も高い設定温度が３０℃で、最も低い設定温度が１８℃となっており、同じグループに属する空気調和機にしてはその差が極めて大きすぎ、何等かの問題があることが予想される。
【００３１】
特に、後述する室内温度の欄では、フロア１Ｆの各空気調和機の室内温度が２５〜２７℃になっており、暖房運転の設定温度１８℃は、室内温度よりもはるかに低く、このような温度設定がなされている空気調和機では暖房運転が実施されない。これは、明らかに設定温度の下げ過ぎか運転モードの選択ミスが想定される。
【００３２】
このように、グループごとの複数台の空気調和機の運転データを容易に確認することが可能で、そのグループ内の空気調和機の中での誤設定を迅速に確認することができる。なお、フロア４Ｆのようにグループ中のすべての空気調和機が停止またはドライ運転の場合には、設定温度のデータがないため、この欄の表示は「＊＊」となり、データがないことが表わされる。
【００３３】
また、図４に表示するグループ内の空気調和機の運転モード別の設定温度６ｄを色付きで表示するようにしてもよい。
【００３４】
例えば、グループ内の空気調和機の設定温度が、冷房１８℃、冷房２５℃、冷房２７℃、暖房２４℃、暖房２５℃、暖房２９℃の場合は、１８〜２７℃／２４〜２９℃と表示するが、この際運転モード別に文字の色を変更し、冷房の１８〜２７℃を青色、暖房の２４〜２９℃を橙色で表示してもよい。
【００３５】
これによりグループ全体の空気調和機３の温度設定の状況が一目で確認でき、設定温度の下げ過ぎ、上げ過ぎの判断を容易に行うことができる。なお、本実施形態では除湿運転には、設定温度がないため、除湿運転モードで運転中の空気調和機については、設定温度表示がされない。
【００３６】
また、指定した温度範囲外の場合に表示する温度も文字の色を通常とは異なる色にする。例えば、冷房設定温度が省エネ目標温度２８℃未満の場合は、通常青色で表示していた設定温度表示を、設定温度２９℃の冷房運転の空気調和機がある場合には、最高温度２９℃を赤色で表示して、異常値の判断を容易に行えるようにし、空気調和機の運転管理を行うことが可能になる。
【００３７】
室内温度６ｆは、グループ内の各空気調和機３で検出している室内の空気温度範囲を表示し、例えば左から最低温度：２４℃、平均温度：（２５℃）、最高温度：２７℃を表示する。平均温度は、（）書きで表示される。これによりグループ毎の室内温度分布を確認することができ、無駄な空気調和機の運転の抑制を行うことができる。
【００３８】
また、フィルタサイン６ｇの表示においては、フロア１Ｆが黒丸表示で、グループ内全空気調和機がフィルタ目詰まり状態となっているため、早急にグループ内全空気調和機のフィルタ清掃を実施する必要がある。またフロア２Ｆ及び４Ｆでは、灰色丸表示であり、グループ内の少なくとも１台でフィルタ目詰まりが発生していることが表わされている。そこで、使用者がこの表示部分をマウスなどで指定してクリックすれば、フィルタ目詰まりを起こしている空気調和機の各種運転データを表示する個別表示画面に移行し、これにて目詰まりを起こしているグループ内の空気調和機を特定することができ、早急にフィルタ清掃の対応が可能となる。なお、図３から分かるようにフロア２Ｆでフィルタ目詰まりを起こしているのはアドレスａａａ１２の空気調和機で、フロア４Ｆでフィルタ目詰まりを起こしているのはアドレスａａａ２１の空気調和機である。
【００３９】
個別表示画面への移行は、使用者の画面上のクリックによって図２に示されるクライアントＰＣ５から個別表示要求の信号がコントローラ２へ送信され、コントローラ２の要求判別手段２ａが、その要求内容を判別し、データ処理手段２ｂに指定された空気調和機の個別運転データを要求し、データ処理手段２ｂが指定された空気調和機の運転データをデータベース２ｄから読み出し、これを表示データ作製手段２ｃがＨＴＭＬ等のクライアントＰＣ５がブラウザによって読み取り、表示可能な表示言語に変換して要求のあったクライアントＰＣ５に返信することで実行される。以上のとおり、全フロアの空気調和機３の各種運転データがグループ毎に表示されるとともに、全グループを一覧表にして表示するため、グループ内の各空気調和機間の運転データの相違や他のグループとの運転データの相違から異常や誤操作が判断しやすくなる。
【００４０】
本実施形態の空調管理システムによれば、個々の空気調和機の運転状態を反映させたグループ毎の表示を行い、多数の空気調和機の運転状態をグループ毎に迅速かつ的確に確認可能にし、多数の空気調和機の管理を容易に行うことができる空調管理システムが実現する。
【００４１】
なお、本実施形態では、Ｗｅｂサーバ機能を有するコントローラに接続されたクライアントＰＣ（ディスプレイ）上にグループ毎の空気調和機の運転データを表示する例で説明したが、コントローラに設けたディスプレイにグループ毎の空気調和機の運転データを表示してもよい。
【図面の簡単な説明】
【００４２】
【図１】本発明の一実施形態に係る空調管理システムの概念図。
【図２】本発明の一実施形態に係る空調管理システムの制御ブロック図。
【図３】本発明の一実施形態に係る空調管理システムのデータベース内のデータ一覧図。
【図４】本発明の一実施形態に係る空調管理システムに用いるクライアントＰＣのモニター画面の表示例を示す図。
【符号の説明】
【００４３】
１…空調管理システム、２…コントローラ、２ａ…要求判別手段、２ｂ…データ処理手段、２ｃ…表示データ作成手段、２ｄ…データベース（記憶手段）、２ｅ…通信手段、２ｆ…通信手段、３…空気調和機、３ａ…空調機制御器、３ｂ…空調機通信手段、４…ハブ、５…クライアントＰＣ。
【図１】
0004977547.tif 000002
【図２】
0004977547.tif 000003
【図３】
0004977547.tif 000004
【図４】
0004977547.tif 000005